(57)【要約】【課題】ドレンパンを取り外さなくても、ドレンパンの内側の汚れを確認することができる天井埋込型空気調和機を提供する。【解決手段】熱交換器１１と、この熱交換器１１の下側に配置されたドレンパン１３と、このドレンパン１３に貯留するドレン水を汲み上げるドレンポンプ２８とを備え、ドレンパン１３が、ドレン水を貯留する樹脂成型したドレンシート５１と、このドレンシート５１の下側を覆う発泡材とで形成される天井埋込型空気調和機において、ドレンシート５１にドレン水が貯留される透明部材で形成され貯留部５９を形成し、貯留部５９の内部にドレンポンプ２８の吸込み口２８ａを配置し、発泡材５３の一部であって貯留部５９及び吸込み口２８ａを覆う部分を着脱可能なキャップ部材６３で形成した。【選択図】図９
2007309558.tif 000002
【特許請求の範囲】
【請求項１】
熱交換器と、この熱交換器の下側に配置されたドレンパンと、このドレンパンに貯留するドレン水を汲み上げるドレンポンプとを備え、前記ドレンパンが、ドレン水を貯留する樹脂成型したドレンシートと、このドレンシートの下側を覆う発泡材とで形成される天井埋込型空気調和機において、
前記ドレンシートにドレン水が貯留される透明部材で形成され貯留部を形成し、前記貯留部の内部にドレンポンプの吸込み口を配置し、前記発泡材の一部であって前記貯留部及び前記吸込み口を覆う部分を着脱可能なキャップ部材で形成したことを特徴とする天井埋込型空気調和機。
【請求項２】
前記貯留部の底部にドレン水を下側へ排出する排出口を形成したことを特徴とする請求項１に記載の天井埋込型空気調和機。
【請求項３】
前記貯留部を前記ドレンシートと別部品で構成し、この貯留部を透明部材で形成したことを特徴とする請求項１または請求項２に記載の天井埋込型空気調和機。
【請求項４】
前記貯留部は、天井面を構成する化粧パネルを取り外したときに、室内側に表出する位置に配置したことを特徴とする請求項１から請求項３のいずれか１つに記載の天井埋込型空気調和機。
【請求項５】
前記ドレンポンプに前記貯留部の底部に向けて光を照射する光源を設けたことを特徴とする請求項１から請求項４のいずれか１つに記載の天井埋込型空気調和機。
【発明の詳細な説明】
【技術分野】
【０００１】
本発明は、熱交換器から滴下する水を受けるドレンパンを備えた天井埋込型空気調和機に関する。
【背景技術】
【０００２】
一般的な天井埋込型空気調和機には、筐体内に設けられた送風機を囲うように熱交換器が配置され、この熱交換器の下方には、ドレンパンシートと発泡材とからなるドレンパンが配置されている。このドレンパンは、熱交換器から滴下する結露水を受け、この結露水をドレンパンの内側でドレン水として貯留する。このドレン水は、ドレンポンプを用いて汲み上げられて、適宜排出されるようになっている（例えば、特許文献１参照）。
【特許文献１】特開２００４−９３００５号公報
【発明の開示】
【発明が解決しようとする課題】
【０００３】
ドレンパンの底部には、熱交換器の外側に付着した埃が結露水と共にドレンパンに滴下して、ドレンパンの底面に堆積する。ゆえに、この底面の埃を適宜清掃することが必要である。しかしながら、上述の天井埋込型空気調和機では、天井面を構成する化粧パネルを取り外したとしても、ドレンパンの内側の汚れを確認することができない。そのため、汚れを確認するためには、ドレンパンを本体側から取り外さなければならず、作業性が悪かった。さらには、ドレン水を汲み上げるドレンポンプが詰まってしまい、室外機を停止させる安全装置が作動することもあった。
【０００４】
本発明は、上述した事情に鑑みてなされたものであり、ドレンパンを取り外さなくても、ドレンパンの内側の汚れを確認することができる天井埋込型空気調和機を提供することを目的とする。
【課題を解決するための手段】
【０００５】
本発明では、熱交換器と、この熱交換器の下側に配置されたドレンパンと、このドレンパンに貯留するドレン水を汲み上げるドレンポンプとを備え、前記ドレンパンが、ドレン水を貯留する樹脂成型したドレンシートと、このドレンシートの下側を覆う発泡材とで形成される天井埋込型空気調和機において、前記ドレンシートにドレン水が貯留される透明部材で形成され貯留部を形成し、前記貯留部の内部にドレンポンプの吸込み口を配置し、前記発泡材の一部であって前記貯留部及び前記吸込み口を覆う部分を着脱可能なキャップ部材で形成したことを特徴とする。
この構成によれば、キャップ部材を取り外すことにより、透明な貯留部をドレンパンの下側に表出させることができる。また、貯留部の内部にドレンポンプの吸込み口を配置して、この吸込み口の状態も確認することができる。
【０００６】
この場合において、前記貯留部の底部にドレン水を下側へ排出する排出口を形成することもできる。
この構成によれば、ドレンポンプで汲み上げられなかったドレン水を排出口から排出させることができるようになる。
【０００７】
また、前記貯留部を前記ドレンシートと別部品で構成し、この貯留部を透明部材で形成することもできる。
この構成によれば、貯留部のみを別体の透明部材で構成し易くなる。
【０００８】
さらに、前記貯留部は、天井面を構成する化粧パネルを取り外したときに、室内側に表出する位置に配置してもよい。
この構成によれば、化粧パネルを取り外すだけで、容易に貯留部を確認することができるようになる。
【０００９】
また、前記ドレンポンプに前記貯留部の底部に向けて光を照射する光源を設けることもできる。
この構成によれば、貯留部に光を当てて確認し易くすることができる。また、貯留部の底部を除菌することもできる。
【発明の効果】
【００１０】
本発明によれば、キャップ部材を取り外すことにより、透明な貯留部をドレンパンの下側に表出させることができる。この貯留部の底部には、ドレン水が貯留されることにより最も埃や汚れが堆積し易くなる。そのため、貯留部の底部をドレンパンの下側から確認し、この底部の汚れ具合によって清掃の要否を決定すればよいので、ドレンパンを本体側から取り外すことなく、貯留部の内部の汚れ具合を目視で確認することができる。その結果、確認の作業性を向上させることができる。また、ドレンポンプの吸込み口の状態を透明な貯留部を通して目視で確認することができるので、適宜清掃することでドレンポンプが埃等で詰まるのを未然に防止し、安定した空調運転が可能となる。
また、キャップ部材を着脱可能に形成しているので、汚れを確認するときにキャップ部材取り外すようにすることができる。そのため、確認作業以外のときには、発泡材の断熱性を利用して効率的な空調運転を行うことができる。
【発明を実施するための最良の形態】
【００１１】
以下、本発明の実施の形態に係る天井埋込型空気調和機について、図面を参照しながら説明する。
【００１２】
図１は、本発明の実施の形態に係る天井埋込型空気調和機の側部断面図である。
この天井埋込型空気調和装置は、板金製の箱形の空気調和機本体１を有し、吊りボルト２で天井からつり下げられている。この空気調和機本体１は下方が開口し、天井に埋め込まれた場合、この開口側が被調和室に対向する。この空気調和機本体１の内側には、モータ５が固定され、このモータ５のシャフトには羽根車７が取り付けられている。これらが送風機９を構成している。この送風機９を取り囲むように、多角形状に曲げられた熱交換器１１が配置され、この熱交換器１１の下側にはドレンパン１３が配置され、このドレンパン１３にはベルマウス１４が取り付けられている。
また、空気調和機本体１の下面には、化粧パネル２１が取り付けられ、この化粧パネル２１には、吸込口２２と吹出口２３とが形成され、吸込口２２の内側にはフィルタ２５が装着されている。
【００１３】
図２は、ドレンパン１３を取り除いた状態の空気調和機本体１を示す平面図である。
上記の熱交換器１１は略５角形（多角形）状に曲げられて、空気調和機本体１の内側に配置されている。この熱交換器１１の３辺１１Ａ，１１Ｂ，１１Ｃは、空気調和機本体（筐体）１の３辺１Ａ，１Ｂ，１Ｃに対し略平行に延び、残りの一部１１Ｄは、筐体１の一辺１Ｄに対応した位置で、当該筐体１の一辺１Ｄ側に三角状に張り出して構成されている。熱交換器１１の外側の空間には、図２に示すように、熱交換器１１の一部１１Ｄを、筐体１側に張り出させている。この一部１１Ｄを挟んで、両側の比較的大きなスペースＳ１，Ｓ２には、配管類２７、及びドレンポンプ２８を分散配置している。
また、熱交換器１１の内側には、図２に示すように、補助ヒータ４３、および熱交換器１１の一部１１Ｄの形状に合わせて補助ヒータ４３用の電装箱４５が取り付けられている。
【００１４】
図３は、熱交換器１１を単品で示す斜視図である。
熱交換器１１は、フィン・アンド・チューブ形の熱交換器を、実線矢印で示す空気の流れ方向に対し、二重に重ねて構成され、熱交換器の各隅部Ａ，Ｂ，Ｃ，Ｄを、曲げローラ治具にセットされた半径Ｒの同一ローラ（図示せず）で曲げて、５角形（多角形）状に形成されている。また、この熱交換器１１は、曲げ始め位置１１Ｋと曲げ終わり位置１１Ｌとの間が幅狭の管板１１Ｍを介して連結されている。これにより、熱交換器１１の曲げ始め位置１１Ｋと曲げ終わり位置１１Ｌとの間隔を接近させ、幅狭の管板１１Ｍで連結させることができるので、幅広の管板で連結するものに比べ、その分だけ伝熱面積を増大させることができる。
【００１５】
図４は、図２に示す空気調和機本体１に対し、ドレンパン１３を装着した状態を示す平面図である。
この空気調和機本体１（図４では一点鎖線で示す）は、４辺にほほ矩形の内部吹出口４１を備え、この内部吹出口４１が、図１に示す化粧パネル２１の吹出口２３に連通している。また、この図４は、化粧パネル２２（図１参照）を取り外して下側から見た状態であり、この状態で、詳細は後述するキャップ部材６３が見えており、さらにキャップ部材６３を取り外すことで後述する貯留部５９が表出することになる。
【００１６】
図５は、図４に示すドレンパン１３のＶ−Ｖ線で切断した状態を示す断面図である。
このドレンパン１３は、ドレンパン１３の上面略全域を構成し、所定形状に凹凸成形されたドレンパンシート用樹脂フレーム５１（ドレンシート５１）と、主に断熱材として、ドレンシート５１の下側を覆う発泡スチロール５３とを一体成形して構成されている。このドレンパン１３の略中央部には、送風機９の吸い込み口が臨む吸い込み孔５５が形成され、この吸い込み孔５５には送風機９のベルマウス１４が嵌め込まれ、このベルマウス１４は、図４に示すように、複数のねじ５６を用いてドレンパン１３に固定されている。また、このドレンパン１３には複数のねじ５８を用いて電装箱４５が固定されている。
【００１７】
図６は、ドレンシート５１を熱交換器１１側から見た平面図である。
ドレンシート５１は、図６に示すように、厚さが約２ｍｍの樹脂で形成されており、ベルマウス１４が取り付けられる中央の吸い込み孔５５、熱交換器１１の下側に配設された水受け部５７ａ〜５７ｅ、および図６の左上側に配設された貯留部５９が設けられている。この水受け部５７ａ〜５７ｅの底面の高さは、貯留部５９に向かうに従い低くなっており、熱交換器１１で結露した水は、この水受け部５７ａ〜５７ｅに滴下した後に、水受け部５７の底面の傾斜に沿って滴下した水（ドレン水）が貯留部５９まで流れて行くことになる。
なお、図６において、貯留部５９の左側部分６０ａおよび上側部分６０ｂにも、水受け部５７から流れてくる水を貯めておくことができるようになっており、貯留部５９がドレン水で一杯になっても、この左側部分６０ａおよび上側部分６０ｂにドレン水を貯めておくことができる。
【００１８】
図７は、図６のVII−VII線で切断した状態を示す断面図である。
貯留部５９は、ドレンシート５１の下側に向けて突出しており、この貯留部５９の底部５９ａはドレンシート５１のうち一番低い位置に形成されている。この貯留部５９は、透明材料で形成されており、ドレンシート５１の下側から貯留部５９の内側の状態を目視で確認できるようになっている。また、貯留部５９の底部５９ａからは、排水口６１がさらに下側に突出するように形成されており、この排水口６１は、着脱自在の蓋６２で閉じられている。この蓋６２は、透明な材料で形成されていてもよい。
【００１９】
図８（ａ）は、貯留部５９に下側から被せられるキャップ部材６３の側面図、図８（ｂ）は、図８（ａ）の下側から見た下面図である。
このキャップ部材６３は、発泡スチロール材で発泡成形されており、上側に開口を有している。このキャップ部材６３の内側部６３ａの形状は、貯留部５９の三角形状の外側形状、および排水口６１の外側形状と略一致しており、貯留部５９に下側から被せた状態で、ほぼ隙間がなく接するようになっている。
【００２０】
図９は、図４のIX−IX線で切断した状態の概略図であって、簡略のために発泡スチロール５３を省略して示したものである。
貯留部５９の上方には、ドレン水を汲み上げるためのドレンポンプ２８が配置され、吸込み口２８ａを貯留部５９の内部に位置している。このドレンポンプ２８には、ドレンポンプ駆動手段６６と、排水用のホース６４とが接続されている。ドレンポンプ２８によって汲み上げたドレン水は、このホース６４を通って排出されるようになっている。
【００２１】
一方、ドレンポンプ２８には、貯留部５９の底部５９ａに向かって光６７を当てる照明手段６５が取り付けられている。この照射手段５９は、一般的な蛍光灯であってもよく、紫外線を照射して、底部５９ａの汚れが付着した部分の除菌が可能なものであってもよい。また、この証明手段６５は、ドレンポンプ２８の吸込み口２８ａを照射するようになっていてもよい。
【００２２】
本発明の実施の形態に係る天井埋込型空気調和機によれば、キャップ部材６３を取り外すことにより、透明な貯留部５９をドレンパン１３の下側に表出させることができるので、ドレンパン１３を本体側から取り外すことなく、貯留部５９の内部の汚れ具合を目視で確認することができる。その結果、確認の作業性を向上させることができる。また、ドレンポンプ２８の吸込み口２８ａの状態を透明な貯留部５９を通して目視で確認することができるので、適宜清掃することでドレンポンプ２８が埃等で詰まるのを未然に防止し、安定した空調運転が可能となる。
【００２３】
一方、ドレンシート５１の一番低い位置であって、水受け部５７ａ〜５７ｅに滴下した水が流れ込む位置に貯留部５９を配置しているので、貯留部５９の底部５９ａに最も埃や汚れが堆積し易くすることができる。その結果、貯留部５９の底部５９ａを確認し、この底部５９ａの汚れ具合によって清掃の要否を決定すればよくなる。
さらに、キャップ部材６３を着脱可能に形成しているので、汚れを確認するときにキャップ部材６３を取り外すようにすることができる。そのため、確認作業以外のときには、発泡材の断熱性を利用して効率的な空調運転を行うことができる。
【００２４】
また、貯留部５９の底部５９ａにドレン水を下側へ排出する排出口６１を形成しているので、ドレンポンプ２８で汲み上げられなかったドレン水を、この排出口６１から排出させることができる。
さらに、貯留部５９は、天井面を構成する化粧パネル２２を取り外したときに、室内側に表出する位置に配置してあるので、化粧パネル２２を取り外すだけで、容易に貯留部５９を確認することができるようになる。
【００２５】
一方、ドレンポンプ２８に貯留部５９の底部５９ａに向けて光を照射する照射手段６５を設けているので、貯留部５９に光を当てて貯留部５９の内部の汚れを確認し易くすることができる。また、貯留部５９の底部５９ａに紫外線を照射して、底部５９ａを除菌することもできる。
【００２６】
以上、本発明を実施するための最良の形態について述べたが、本発明は既述の実施形態に限定されるものではなく、本発明の技術思想に基づいて各種の変形および変更が可能である。
本実施の形態では、貯留部５９をドレンシート５１と別部材で構成し、貯留部５９のみを透明部材で形成しているが、貯留部５９をドレンシート５１と一体で成形し、これらを一体で透明な部材で形成することもできる。これにより、部品点数を削減し、組立性を向上させることもできる。
【図面の簡単な説明】
【００２７】
【図１】本発明による天井埋込型空気調和装置及び熱交換器の一実施形態を示す断面図である。
【図２】ドレンパンを外した空気調和機本体の平面図である。
【図３】熱交換器の斜視図である。
【図４】ドレンパンを装着した空気調和機本体の平面図である。
【図５】図４のＶ−Ｖ断面図である。
【図６】ドレンシートの平面図である。
【図７】図６のVII−VII断面図である。
【図８】（ａ）はキャップ部材の側面図、（ｂ）は（ａ）を下側から見た図である。
【図９】図４のIX−IX断面を概略で示す図である。
【符号の説明】
【００２８】
１  天井埋込型空気調和機
９  送風機
１１  熱交換器
１３  ドレンパン
２１  化粧パネル
２２  吸込口
２３  吹出口
２８  ドレンポンプ
２８ａ  吸込み口
４１  内部吹出口
５１  ドレンパンシート用樹脂フレーム（ドレンパンシート）
５３  発泡スチロール（発泡材）
５５  吸い込み孔
５７ａ〜５７ｅ  水受け部
５９  貯留部
６０ａ  左側部分
６０ｂ  右側部分
６１  排水口
６２  蓋
６３  キャップ部材
６３ａ  内側部
６４  ホース
６５  照射手段
６６  ドレンポンプ駆動手段
【図１】
2007309558.tif 000003
【図２】
2007309558.tif 000004
【図３】
2007309558.tif 000005
【図４】
2007309558.tif 000006
【図５】
2007309558.tif 000007
【図６】
2007309558.tif 000008
【図７】
2007309558.tif 000009
【図８】
2007309558.tif 000010
【図９】
2007309558.tif 000011